(57)【要約】【課題】  第一フレーム要素及び第二フレーム要素の間で、蓄電素子が移動することを防止できる蓄電装置を提供することを課題とする。【解決手段】  本発明の蓄電装置は、第一方向に整列される複数の蓄電素子と、該複数の蓄電素子を保持するフレームであって、第一方向と直交する第二方向の一方側から複数の蓄電素子に対向配置され且つ複数の蓄電素子のそれぞれに直接又は間接的に当接する第一フレーム要素と、第二方向の他方側から複数の蓄電素子に対向配置される第二フレーム要素とを含むフレームとを備え、第二フレーム要素は、複数の蓄電素子のそれぞれとの間に、複数の蓄電素子のそれぞれに接する突部を有する保持部を備える。【選択図】図９
2015138674.tif 000002
【特許請求の範囲】
【請求項１】
第一方向に整列される複数の蓄電素子と、
該複数の蓄電素子を保持するフレームであって、前記第一方向と直交する第二方向の一方側から前記複数の蓄電素子に対向配置され且つ前記複数の蓄電素子のそれぞれに直接又は間接的に当接する第一フレーム要素と、
前記第二方向の他方側から前記複数の蓄電素子に対向配置される第二フレーム要素とを含むフレームとを備え、
前記第二フレーム要素は、前記複数の蓄電素子のそれぞれとの間に、前記複数の蓄電素子のそれぞれに接する突部を有する保持部を備える
蓄電装置。
【請求項２】
前記突部は、変形可能である
請求項１に記載の蓄電装置。
【請求項３】
前記突部は、弾性変形可能である
請求項１又は請求項２に記載の蓄電装置。
【請求項４】
前記複数の蓄電素子のそれぞれは、前記第二方向に基準面を有し、
前記第一フレーム要素は、前記基準面に直接又は間接的に当接する
請求項１乃至３のいずれか１項に記載の蓄電装置。
【請求項５】
前記複数の蓄電素子のそれぞれは、前記基準面に外部端子を有し、
隣り合う蓄電素子の前記外部端子同士がバスバーによって接続される
請求項４に記載の蓄電装置。
【請求項６】
前記フレームは、
前記第一方向における前記複数の蓄電素子の両側に配置され、前記複数の蓄電素子を挟み込む一対の終端部材と、
該一対の終端部材同士を連結し、前記複数の蓄電素子を一体に緊締する連結部材とを含み、
前記第一フレーム要素及び前記第二フレーム要素は、前記連結部材の一部又は全部を構成する
請求項１乃至請求項５のいずれか１項に記載の蓄電装置。
【請求項７】
前記突部は、前記複数の蓄電素子のそれぞれに対し、互いに間隔を有して一対設けられる
請求項１乃至請求項６のいずれか１項に記載の蓄電装置。
【請求項８】
前記保持部は、前記複数の蓄電素子のそれぞれと前記第二フレーム要素とを絶縁するための絶縁部材である
請求項１乃至請求項７のいずれか１項に記載の蓄電装置。
【発明の詳細な説明】
【技術分野】
【０００１】
本発明は、複数の蓄電素子を備える蓄電装置に関する。
【背景技術】
【０００２】
従来から、各種機器の電源として、蓄電装置が提供されている。かかる蓄電装置は、第一方向に整列される複数の蓄電素子と、該複数の蓄電素子を保持するフレームであって、第一方向と直交する第二方向の一方側から複数の蓄電素子に対向配置され且つ複数の蓄電素子のそれぞれに直接又は間接的に当接する第一フレーム要素と、第二方向の他方側から複数の蓄電素子に対向配置される第二フレーム要素とを含むフレームとを備えている（例えば、特許文献１）。
【先行技術文献】
【特許文献】
【０００３】
【特許文献１】特開２０１１−２３３０２号公報
【発明の概要】
【発明が解決しようとする課題】
【０００４】
ところで、上述のような蓄電装置は、外力が作用することによる変形等の影響で、蓄電素子と第一フレーム要素との間や、蓄電素子と第二フレーム要素との間に隙間が生じることがある。このような状態になると、蓄電素子が第一フレーム要素と第二フレーム要素との間で蓄電素子が移動してしまい、第一フレーム要素と第二フレーム要素間における各蓄電素子の位置にばらつきが生じたり、蓄電素子に繋がる部材に負荷がかかってしまったりすることが問題となる。
【０００５】
そこで、本発明は、斯かる実情に鑑み、第一フレーム要素及び第二フレーム要素の間で、蓄電素子が移動することを防止できる蓄電装置を提供することを課題とする。
【課題を解決するための手段】
【０００６】
本発明の蓄電装置は、
第一方向に整列される複数の蓄電素子と、
該複数の蓄電素子を保持するフレームであって、第一方向と直交する第二方向の一方側から複数の蓄電素子に対向配置され且つ複数の蓄電素子のそれぞれに直接又は間接的に当接する第一フレーム要素と、第二方向の他方側から複数の蓄電素子に対向配置される第二フレーム要素とを含むフレームとを備え、
第二フレーム要素は、複数の蓄電素子のそれぞれとの間に、複数の蓄電素子のそれぞれに接する突部を有する保持部を備える。
【０００７】
上記構成の蓄電装置によれば、第二フレーム要素が複数の蓄電素子のそれぞれとの間に、複数の蓄電素子のそれぞれに接する突部を有する保持部を備えるため、複数の蓄電素子のそれぞれは、突部から第一フレーム要素側に向けて作用する力を受ける。
【０００８】
このように、第二フレーム要素と蓄電素子との間に突部を有する保持部を介在させることによって、蓄電素子と第一フレーム要素との間や、蓄電素子と第二フレーム要素との間に隙間が生じることを防止できる。
【０００９】
ここで、本発明に係る蓄電装置の一態様として、
突部は、変形可能である
ようにしてもよい。
【００１０】
このようにすれば、突部は、蓄電素子から第二フレーム要素側に押し付けられたときに変形する。従って、蓄電素子が突部から第一フレーム要素側に向けて作用する力を過剰に受けることを防止できる、
【００１１】
また、本発明に係る蓄電装置の他態様として、
突部は、弾性変形可能である
ようにしてもよい。
【００１２】
このようにすれば、突部は、蓄電素子から第二フレーム要素側に押し付けられると弾性変形する。これに伴い、突部は、弾性力によって蓄電素子を第一フレーム要素側に押し付ける。従って、蓄電素子が第一フレーム要素側に向けて作用する力を突部から過剰に受けることを防止しつつ、適正な力で蓄電素子を第一フレーム要素側に押し付けることができる。
【００１３】
また、本発明に係る蓄電装置の別の態様として、
複数の蓄電素子のそれぞれは、第二方向に基準面を有し、
第一フレーム要素は、基準面に直接又は間接的に当接する
ようにしてもよい。
【００１４】
このようにすれば、複数の蓄電素子のそれぞれの基準面の第二方向における位置を揃えることができる。従って、複数の蓄電素子のそれぞれの第二方向における位置を揃えることができる。
【００１５】
また、本発明に係る蓄電装置のさらに別の態様として、
複数の蓄電素子のそれぞれは、基準面に外部端子を有し、
隣り合う蓄電素子の外部端子同士がバスバーによって接続される
ようにしてもよい。
【００１６】
このようにすれば、複数の蓄電素子のそれぞれの基準面の第二方向における位置を揃えることによって、複数の蓄電素子のそれぞれの外部端子の第二方向における位置も揃えることができる。そのため、複数の蓄電素子のそれぞれの外部端子が第二方向で位置ずれすることで隣り合う蓄電素子の外部端子同士を接続するバスバーに負荷がかかることを防止できる。
【００１７】
また、本発明に係る蓄電装置のさらに別の態様として、
フレームは、
第一方向における複数の蓄電素子の両側に配置され、複数の蓄電素子を挟み込む一対の終端部材と、
該一対の終端部材同士を連結し、複数の蓄電素子を一体に緊締する連結部材とを含み、
第一フレーム要素及び第二フレーム要素は、連結部材の一部又は全部を構成する
ようにしてもよい。
【００１８】
このようにすれば、複数の蓄電素子を挟み込んだ一対の終端部材同士連結部材で連結することで、複数の蓄電素子に第一方向での圧縮力を作用させることができる。そのため、複数の蓄電素子が第一フレーム要素と第二フレーム要素との間で移動することをより確実に防止できる。
【００１９】
また、本発明に係る蓄電装置のさらに別の態様として、
突部は、複数の蓄電素子のそれぞれに対し、互いに間隔を有して一対設けられる
ようにしてもよい。
【００２０】
このようにすれば、一対の突部のそれぞれの間には、空間が形成される。そのため、当該隙間を通じて空気を流通させることができ、蓄電素子の温度を適正な値に維持することができる。
【００２１】
また、本発明に係る蓄電装置のさらに別の態様として、
保持部は、複数の蓄電素子のそれぞれと第二フレーム要素とを絶縁するための絶縁部材である
ようにしてもよい。
【００２２】
このようにすれば、保持部で蓄電素子を絶縁することができる。
【発明の効果】
【００２３】
以上のように、本発明に係る蓄電装置によれば、第一フレーム要素及び第二フレーム要素の間で、蓄電素子が移動することを防止できるという優れた効果を奏し得る。
【図面の簡単な説明】
【００２４】
【図１】図１は、本発明の一実施形態に係る蓄電装置の斜視図である。
【図２】図２は、同実施形態に係る蓄電装置の側面図である。
【図３】図３は、同実施形態に係る蓄電装置の断面図であって、図１におけるＡ−Ａ線での断面図である。
【図４】図４は、同実施形態に係る蓄電装置のフレームの斜視図である。
【図５】図５は、同実施形態に係る蓄電装置における第一フレーム要素近傍の部分拡大断面図である。
【図６】図６は、同実施形態に係る蓄電装置の当接部材の斜視図である。
【図７】図７は、同実施形態に係る蓄電装置における第二フレーム要素近傍の部分拡大断面図である。
【図８】図８は、同実施形態に係る蓄電装置の保持部の斜視図である。
【図９】図９は、同実施形態に係る蓄電装置の断面図であって、図２におけるＢ−Ｂ線での断面図である。
【図１０】図１０は、同実施形態に係る蓄電装置の説明図であって、蓄電素子が保持部に当接していない状態の説明図である。
【図１１】図１１は、同実施形態に係る蓄電装置の説明図であって、蓄電素子が保持部に当接している状態の説明図である。
【発明を実施するための形態】
【００２５】
以下、本発明の一実施形態に係る蓄電装置について、添付図面を参照しつつ説明する。図１に示すように、第一方向に整列される複数の蓄電素子１，１…と、該複数の蓄電素子１，１…を保持するフレーム２とを備えている。
【００２６】
蓄電素子１は、第一方向に扁平な角形電池である。より具体的に説明すると、蓄電素子１は、開口部を有するケース本体１００と、該ケース本体１００の開口部を塞いで密閉する蓋体１０１とで構成されるケース１０を備えている。そして、ケース本体１００内には、互いに絶縁された正極板と負極板とを含む電極体（図示せず）が収容されている。また、蓄電素子１は、第二方向に基準面１０１ａを有する。本実施形態では、蓋体１０１の外面が基準面１０１ａを構成している。
【００２７】
さらに、蓄電素子１は、基準面１０１ａに正負極一対の外部端子１１ａ，１１ｂを有する。そして、隣り合う蓄電素子１は、外部端子１１ａ，１１ｂの極性が反対となるように配置されており、隣り合う蓄電素子１の外部端子１１ａ，１１ｂが導電性を有するバスバーＢによって電気的に接続されている。これにより、複数の蓄電素子１，１…は、互いに電気的に接続され、一つの電池を構成する。
【００２８】
そして、図２及び図３に示すように、蓄電素子１，１間には、スペーサＳが配置されている。そのため、複数の蓄電素子１，１…は、等間隔に間隔を空けて配置されている。
【００２９】
図１及び図２に示すように、フレーム２は、第一方向における複数の蓄電素子１，１…の両側に配置され、複数の蓄電素子１，１…を挟み込む一対の終端部材２０，２０と、該一対の終端部材２０，２０同士を連結し、複数の蓄電素子１，１…を一体に緊締する連結部材２１とを含む。
【００３０】
終端部材２０は、蓄電素子１のケース本体１００と対応する位置に配置される終端部材本体部２００を有する。
【００３１】
連結部材２１は、第一方向と直交する第二方向の一方側から複数の蓄電素子１，１…に対向配置され且つ複数の蓄電素子１，１…のそれぞれに直接又は間接的に当接する第一フレーム要素２２と、第二方向の他方側から複数の蓄電素子１，１…に対向配置される第二フレーム要素２３とを含む。すなわち、第一フレーム要素２２及び第二フレーム要素２３は、連結部材２１の全部を構成するようになっている。
【００３２】
図４に示すように、第一フレーム要素２２は、第一方向で長手をなす一対の第一梁部材２２０，２２０を備えている。また、第一フレーム要素２２は、第一梁部材２２０と複数の蓄電素子１，１…のそれぞれとの間に配置される当接部材２２１を備えている（図１及び図２参照）。
【００３３】
一対の第一梁部材２２０，２２０は、第二方向における中央部を境として屈曲するように形成されている。また、第一梁部材２２０は、第一方向で第一端と該第一端とは反対側の第二端とを有する。そして、第一梁部材２２０の第一端は、一方の終端部材２０に連結され、第一梁部材２２０の第二端は、他方の終端部材２０に連結されている。なお、第一梁部材２２０の第二方向における中央部を境とする一方側の部分を上板部２２０ａとし、第一梁部材２２０の第二方向における中央部を境とする他方側の部分を横板部２２０ｂとして、以下の説明を行うこととする。
【００３４】
さらに、一対の第一梁部材２２０，２２０のそれぞれは、第一方向及び第二方向のそれぞれに直交する第三方向で間隔をあけて配置されたうえで、一対の終端部材２０，２０のそれぞれに連結されている。これにより、一対の第一梁部材２２０，２２０のそれぞれの横板部２２０ｂは、第三方向において、複数の蓄電素子１，１…の側面（第三方向における蓄電素子１の両側の面）よりも外側に配置されるようになっている。
【００３５】
また、一対の第一梁部材２２０，２２０のそれぞれの上板部２２０ａは、第一方向において、複数の蓄電素子１，１…の基準面１０１ａよりも外側（上方）に配置される。そのため、第一フレーム要素２２は、蓄電素子１の基準面１０１ａに間接的に当接するようになっている。
【００３６】
より具体的に説明すると、第一フレーム要素２２の上板部２２０ａは、当接部材２２１（後述する当接部材２２１の上面部２２１ａ及び被押圧部２２１ｃ）を介して蓄電素子１の基準面１０１ａに当接するようになっている。
【００３７】
上述のように、第一フレーム要素２２は、一対の第一梁部材２２０，２２０を備えている。そのため、第一フレーム要素２２は、当接部材２２１を二つ備えている。一対の当接部材２２１，２２１のそれぞれは、絶縁性を有する。
【００３８】
図５及び図６に示すように、当接部材２２１は、蓄電素子１の基準面１０１ａ（蓋体１０１）に間接的に当接するようになっている。より具体的に説明すると、当接部材２２１は、スペーサＳの一部を介して蓄電素子１の基準面１０１ａ（蓋体１０１）に当接するようになっている。
【００３９】
そして、一対の当接部材２２１，２２１のそれぞれは、蓄電素子１の基準面１０１ａと対向する上面部２２１ａと、蓄電素子１の側面と対向する側面部２２１ｂとを有する。そして、一対の当接部材２２１のそれぞれは、上面部２２１ａから第二方向に突出する複数の被押圧部２２１ｃ，２２１ｃ…をさらに有する。
【００４０】
被押圧部２２１ｃは、複数の蓄電素子１，１…のそれぞれに対し、一つずつ設けられる。また、被押圧部２２１ｃは、第二方向で長手をなすように形成されている。そして、被押圧部２２１ｃは、蓄電素子１の基準面１０１ａが当接するようになっている。
【００４１】
図４に戻り、第二フレーム要素２３は、第二方向で長手をなす一対の第二梁部材２３０，２３０を備えている。また、第二フレーム要素２３は、前記複数の蓄電素子１，１…のそれぞれとの間に、前記複数の蓄電素子１，１…のそれぞれに接する突部２３１ａを有する保持部２３１を備えている（図１及び図２参照）。
【００４２】
一対の第二梁部材２３０，２３０は、第二方向における中央部を境として屈曲するように形成されている。また、第二梁部材２３０は、第二方向で第二端と該第二端とは反対側の第二端とを有する。そして、第二梁部材２３０の第二端は、一方の終端部材２０に連結され、第二梁部材２３０の第二端は、他方の終端部材２０に連結されている。なお、第二梁部材２３０の第二方向における中央部を境とする一方側の部分を底板部２３０ａとし、第二梁部材２３０の第二方向における中央部を境とする他方側の部分を横板部２３０ｂとして、以下の説明を行うこととする。
【００４３】
さらに、一対の第二梁部材２３０，２３０のそれぞれは、第三方向で間隔をあけて配置されたうえで、一対の終端部材２０，２０のそれぞれに連結されている。これにより、一対の第二梁部材２３０，２３０のそれぞれの横板部２３０ｂは、第三方向において、複数の蓄電素子１，１…の側面よりも外側に配置される。また、一対の第二梁部材２３０，２３０のそれぞれの底板部２３０ａは、第一方向において、複数の蓄電素子１，１…の底面（基準面１０１ａとは反対側の面）よりも外側に配置される。
【００４４】
上述のように、第二フレーム要素２３は、一対の第二梁部材２３０，２３０を備えている。そのため、第二フレーム要素２３は、保持部２３１，２３１を二つ備えている。図７及び図８に示すように、保持部２３１は、複数の突部２３１ａ，２３１ａ…を備えている。また、保持部２３１は、第二梁部材２３０と蓄電素子１との間に配置されるようになっており、蓄電素子１の底面と対向する底面部２３１ｂと、蓄電素子１の側面と対向する側面部２３１ｃとを有する。そして、保持部２３１は、底面部２３１ｂから第三方向で延出する載置部２３１ｄを有する。
【００４５】
複数の突部２３１ａ，２３１ａ…のそれぞれは、複数の蓄電素子１，１…のそれぞれに対し、互いに間隔を有して一対設けられるようになっている。また、突部２３１ａは、第三方向で長手をなしている。
【００４６】
載置部２３１ｄは、突部２３１ａ，２３１ａ間に設けられている。また、第二方向における載置部２３１ｄの寸法は、第二方向における突部２３１ａの寸法よりも小さくなっている。すなわち、保持部２３１では、第二方向における突部２３１ａの寸法が第二方向における載置部２３１ｄの寸法よりも大きくなっている。
【００４７】
本実施形態に係る蓄電装置は、以上の通りである。続いて、第一フレーム要素２２及び第二フレーム要素２３の間で蓄電素子１が移動することを防止する仕組みについて、添付図面を参照しつつ説明を行う。
【００４８】
まず、蓄電装置を組み立てるには、複数の蓄電素子１，１…のそれぞれを一対の終端部材２０，２０によって挟み込んだ状態にする。なお、本実施形態では、複数の蓄電素子１，１…とともに蓄電素子１間に配置されているスペーサＳも一対の終端部材２０，２０で挟み込んでいる。このようにすることで、複数の蓄電素子１，１…のそれぞれに第一方向での圧縮力を作用させる。
【００４９】
そして、複数の蓄電素子１，１…のそれぞれを一対の終端部材２０，２０によって挟み込んだ状態を維持しながら、終端部材２０に連結部材２１（第一フレーム要素２２及び第二フレーム要素２３）を連結する。
【００５０】
このとき、第二フレーム要素２３の保持部２３１は、第二梁部材２３０と蓄電素子１（蓄電素子１の底面）とによって挟み込まれる。そして、図１０に示すように、第二方向における突部２３１ａの寸法が第二方向における載置部２３１ｄの寸法よりも大きくなっている。そのため、第二フレーム要素２３を終端部材２０に連結すると、図１１に示すように、突部２３１ａが蓄電素子１の底面によって押圧され、さらに、蓄電素子１の底面が載置部２３１ｄに当接する。
【００５１】
このとき、突部２３１ａは、弾性変形するため、突部２３１ａの弾性力が蓄電素子１に作用する。これにより、蓄電装置では、突部２３１ａが蓄電素子１を第一フレーム要素２２側に押し付けている状態になる。
【００５２】
これにより、蓄電素子１の基準面１０１ａ（蓋体１０１）がスペーサＳを介して当接部材２２１の被押圧部２２１ｃに押し付けられる。そして、蓄電素子１の基準面１０１ａが第一フレーム要素２２（被押圧部２２１ｃ）と第二フレーム要素２３（突部２３１ａ）とによって挟み込まれた状態になる。
【００５３】
以上のように、本実施形態に係る蓄電装置によれば、第二フレーム要素２３と蓄電素子１との間に突部２３１ａを有する保持部２３１を介在させることによって、蓄電素子１と第一フレーム要素２２との間や、蓄電素子１と第二フレーム要素２３との間に隙間が生じることを防止できる。従って、第一フレーム要素２２及び第二フレーム要素２３の間で、蓄電素子１が移動することを防止できるという優れた効果を奏し得る。
【００５４】
また、突部２３１ａは、弾性力によって蓄電素子１を第一フレーム要素２２側に押し付けるようになっているため、蓄電素子１が第一フレーム要素２２側に向けて作用する力を突部２３１ａから過剰に受けることを防止することができ、また、蓄電素子１が適正な力で第一フレーム要素２２側に押し付けられるようにすることができる。
【００５５】
そして、複数の蓄電素子１，１…のそれぞれが第二方向に基準面１０１ａを有し、第一フレーム要素２２が基準面１０１ａに間接的に当接するため、複数の蓄電素子１，１…のそれぞれの基準面１０１ａの第二方向における位置を揃えることができる。従って、複数の蓄電素子１，１…のそれぞれの第二方向における位置を揃えることができる。
【００５６】
さらに、複数の蓄電素子１，１…のそれぞれが基準面１０１ａに外部端子１１を有し、隣り合う蓄電素子１の外部端子１１同士がバスバーＢによって接続されているが、複数の蓄電素子１，１…のそれぞれの基準面１０１ａの第二方向における位置を揃えることによって、複数の蓄電素子１，１…のそれぞれの外部端子１１の第二方向における位置も揃えることができる。従って、複数の蓄電素子１，１…のそれぞれの外部端子１１が第二方向で位置ずれすることで隣り合う蓄電素子１の外部端子１１同士を接続するバスバーＢに負荷がかかることを防止できる。
【００５７】
また、フレーム２は、第一方向における複数の蓄電素子１，１…の両側に配置され、複数の蓄電素子１，１…を挟み込む一対の終端部材２０，２０と、該一対の終端部材２０，２０同士を連結し、複数の蓄電素子１，１…を一体に緊締する連結部材２１とを含むため、複数の蓄電素子１，１…を挟み込んだ一対の終端部材２０，２０同士連結部材２１で連結することで、複数の蓄電素子１，１…に第一方向での圧縮力を作用させることができる。そのため、複数の蓄電素子１，１…が第一フレーム要素２２と第二フレーム要素２３との間で移動することをより確実に防止できる。
【００５８】
そして、突部２３１ａは、複数の蓄電素子１，１…のそれぞれに対し、互いに間隔を有して一対設けられているため、一対の突部２３１ａのそれぞれの間には、空間が形成される。従って、当該隙間を通じて空気を流通させることができ、蓄電素子１の温度を適正な値に維持したり、蓄電素子１に結露が発生することを防止したりすることができる。
【００５９】
さらに、保持部２３１は、複数の蓄電素子１，１…のそれぞれと第二フレーム要素２３とを絶縁するための絶縁部材であるため、保持部２３１で蓄電素子１を絶縁することができる。
【００６０】
尚、本発明に係る蓄電装置は、上記実施形態に限定されるものではなく、本発明の要旨を逸脱しない範囲内において、種々変更を加え得ることは勿論である
【００６１】
上記実施形態において、当接部材２２１は、複数の蓄電素子１，１…のそれぞれの基準面１０１ａに間接的に当接するようになっていたが、これに限定されるものではなく、例えば、当接部材２２１は、複数の蓄電素子１，１…のそれぞれの基準面１０１ａに直接的に当接するようにしてもよい。
【００６２】
また、上記実施形態において、第一フレーム要素２２及び第二フレーム要素２３は、連結部材２１の全部を構成するようになっていたが、これに限定されるものではなく、例えば、第一フレーム要素２２及び第二フレーム要素２３が連結部材２１の一部を構成するようになっていてもよい。すなわち、連結部材が第一フレーム要素２２及び第二フレーム要素２３以外の構成も含むようにしてもよい。
【００６３】
また、上記実施形態において、特に言及しなかったが、当接部材２２１は、変形可能、又は弾性変形可能にしてもよい。
【００６４】
また、上記実施形態において、第二フレーム要素２３では、第二梁部材２３０と保持部２３１とが別体で構成されていたが、これに限定されるものではなく、例えば、第二梁部材２３０と保持部２３１とを一体的に構成してもよい。
【００６５】
また、上記実施形態において、保持部２３１は、一対の突部２３１ａ，２３１ａを有するようになっていたが、これに限定されるものではなく、例えば、一つの突部２３１ａを有するようにしたり、三つ以上の突部２３１ａを有するようにしたりしてもよい。
【００６６】
また、上記実施形態において、保持部２３１の突部２３１ａは、弾性変形可能になっていたが、これに限定されるものではなく、例えば、突部２３１ａは、単に変形可能になっていてもよい。
【符号の説明】
【００６７】
１…蓄電素子、２…フレーム、１０…ケース、１１，１１ａ，１１ｂ…外部端子、２０…終端部材、２１…連結部材、２２…第一フレーム要素、２３…第二フレーム要素、１００…ケース本体、１０１…蓋体、１０１ａ…基準面、２００…終端部材本体部、２２０…第一梁部材、２２０ａ…上板部、２２０ｂ…横板部、２２１…当接部材、２２１ａ…上面部、２２１ｂ…側面部、２２１ｃ…被押圧部、２３０…第二梁部材、２３０ａ…底板部、２３０ｂ…横板部、２３１…保持部、２３１ａ…突部、２３１ｂ…底面部、２３１ｃ…側面部、２３１ｄ…載置部、Ｂ…バスバー、Ｓ…スペーサ
【図１】
2015138674.tif 000003
【図２】
2015138674.tif 000004
【図３】
2015138674.tif 000005
【図４】
2015138674.tif 000006
【図５】
2015138674.tif 000007
【図６】
2015138674.tif 000008
【図７】
2015138674.tif 000009
【図８】
2015138674.tif 000010
【図９】
2015138674.tif 000011
【図１０】
2015138674.tif 000012
【図１１】
2015138674.tif 000013